(57)【要約】【課題】コネクタハウジングの端子収納室へコネクタ端子を挿入組付けする際に挿入方向に対する周方向の方向性を有しないで挿入装着できて、通電性に優れるコネクタ端子の提供を目的とする。【解決手段】コネクタハウジングの端子収納室に挿入装着するコネクタ端子であって、板材を略筒形に屈曲して形成してある端子本体部を有し、端子本体部は、スタビライザ用のガイド溝を有しない端子収納室の内壁に当接するスタビライザを挿入方向の中心回りに放射状に、且つ少なくとも三方向以上に立設し、スタビライザの少なくとも一つを端子本体部を形成する板材の挿入方向に沿った縁部を外向きに折り曲げることで形成し、他のスタビライザを端子本体部側壁から切り起こすことで形成してあることを特徴とする。【選択図】  図１
2009037794.tif 000002
【特許請求の範囲】
【請求項１】
コネクタハウジングの端子収納室に挿入装着するコネクタ端子であって、
板材を略筒形に屈曲して形成してある端子本体部を有し、
端子本体部は、スタビライザ用のガイド溝を有しない端子収納室の内壁に当接するスタビライザを挿入方向の中心回りに放射状に、且つ少なくとも三方向以上に立設し、スタビライザの少なくとも一つを端子本体部を形成する板材の挿入方向に沿った縁部を外向きに折り曲げることで形成し、他のスタビライザを端子本体部側壁から切り起こすことで形成してあることを特徴とするコネクタ端子。
【発明の詳細な説明】
【技術分野】
【０００１】
本発明は、コネクタハウジングに挿入装着するコネクタ端子構造に関する。
【背景技術】
【０００２】
コネクタハウジングに挿入組付けするコネクタ端子としては、例えば図３（ａ）に外観図を示し、図３（ｂ）にＢ−Ｂ線断面端面の拡大図を示すように、板材を断面環形の略筒形状に屈曲させて形成したコネクタ端子１１０が公知であり、このコネクタ１１０は端子本体部１１１の挿入方向中間部にランス１１４とスタビライザ１１３とをそれぞれ端子本体部１１１の側壁を切り起こして形成してある。
コネクタハウジング１２０内にこのコネクタ端子１１０を装着した状態を図３（ｃ）に示し、この装着状態でスタビライザ１１３部分を端子挿入方向と直角方向に切断した断面端面図を図３（ｄ）に示すように、コネクタ端子１１０をコネクタハウジングの端子収納室内に位置決めするためには、スタビライザ１１３を端子挿入方向に対する周方向にほぼ均等に３個以上を設ける必要がある。
しかし、端子本体部１１１を３箇所も切り起こしてスタビライザ１１３を設けると、切り起こしの為に設けた切欠部１１３ｂにより端子本体部１１１における通電のための断面積が減少してしまい、大電流に対して不利になる問題があった。
また、図４（ａ）に示すようにスタビライザ１１３の数を２個として、図４（ｂ）、図４（ｃ）に示すように、スタビライザを保持するガイド溝１２１をコネクタハウジング１２０側に設けると、コネクタ端子を挿入組付けする際にスタビライザの位置をガイド溝に合せなければならなくなり組付作業性が低下する。
特開２００６−２１６３２４号公報は、端子本体部の板材縁部を延出してスタビライザを形成する技術を開示するが、やはりスタビライザをガイド溝に嵌める必要があることから、装着に方向性が生じて組付性が悪い。
【０００３】
【特許文献１】特開２００６−２１６３２４号公報
【発明の開示】
【発明が解決しようとする課題】
【０００４】
本発明は上記技術的課題に鑑みて、コネクタハウジングの端子収納室へコネクタ端子を挿入組付けする際に、挿入方向に対する周方向の方向性を有しないで挿入装着できて、通電性に優れるコネクタ端子の提供を目的とする。
【課題を解決するための手段】
【０００５】
本発明は、コネクタハウジングの端子収納室に挿入装着するコネクタ端子であって、板材を略筒形に屈曲して形成してある端子本体部を有し、端子本体部は、スタビライザ用のガイド溝を有しない端子収納室の内壁に当接するスタビライザを挿入方向の中心回りに放射状に、且つ少なくとも三方向以上に立設し、スタビライザの少なくとも一つを端子本体部を形成する板材の挿入方向に沿った縁部を外向きに折り曲げることで形成し、他のスタビライザを端子本体部側壁から切り起こすことで形成してあることを特徴とする。
【０００６】
ここで、スタビライザ用のガイド溝を有しない端子収納室とはスタビライザの挿入する位置決めためのガイド溝がないことを意味し、コネクタ端子をハウジングに挿入組付けする際に、コネクタ端子の周方向の位置制限がない。
【発明の効果】
【０００７】
本発明に係るコネクタ端子においては、コネクタ端子に周回り三方向以上に設けるスタビライザの内の少なくとも一つを、端子本体部を形成する板材からの切り起こしとせずに、板材の合せ目となる縁部を外向きに折り曲げて形成するため、従来のようにスタビライザを全て切り起こしで形成する場合に比較して、切り起こし形成による電気抵抗増加を低く抑えるため通電性に優れる。
【発明を実施するための最良の形態】
【０００８】
本発明に係るコネクタ端子構造は、ハウジングに挿入組付けするコネクタに広く適用できるがプラグ形のコネクタ端子１０に適用した実施例の説明図を図１に示す。
図１（ａ）はコネクタ端子１０の平面図を示し、図１（ｂ）はコネクタ端子１０の底面図を示し、図１（ｃ）はＡ−Ａ線断面端面の拡大図を示す。
コネクタ端子１０は、打ち抜き加工した金属製板材を略筒形に曲げ加工して形成してある。
コネクタ端子１０の、コネクタハウジングへの挿入方向における先端側には、相手側コネクタ端子と接続するための接触部１５を略丸ピン形状に形成してあり、長手方向中間には筒形の端子本体部１１を設けて、後端側には電線接続部１６を電線を圧着接続可能に設けてある。
端子本体部１１には、スナップ作用でコネクタハウジング内にコネクタ端子１０を係止するためのランス１４と、コネクタハウジング内へのコネクタ端子１０の装着姿勢を安定させるためのスタビライザ１２、１３とを設けてある。
【０００９】
図１（ｄ）に、コネクタハウジング２０内にコネクタ端子１０を装着した状態で、コネクタハウジング２０の手前側を取り除いた説明図を示し、図１（ｅ）にコネクタハウジング２０内へコネクタ端子１０を装着した状態で、スタビライザ１２、１３付近をコネクタ嵌合方向と直角方向に切断した断面端面の拡大図を示す。
コネクタハウジング２０は、コネクタ嵌合方向に貫通する端子収納室２１を設けて、嵌合方向先側に接続空間部２４を設け、後ろ側に電線収納部２２を設けて、接続空間部２４と電線収納部２２との間に端子収納室２１の側壁から略環状に突出させた環状凸部２３を設けてある。
コネクタ端子１０は、コネクタハウジング２０内に電線収納部２２側から挿入して、スタビライザ１２、１３の嵌合方向先端が環状凸部２３にほぼ突き当たる位置で、環状凸部２３のランス係止部２３ａにランス１４を弾性係止させて端子収納室２１に装着してある。
電線収納部２２の側壁２２ａは、装着状態にあるコネクタ端子１０のスタビライザ１２、１３に対応する部分を、コネクタ端子１０の略筒形の軸と同心の断面円形で、スタビライザ１２、１３の外端１２ａ、１３ａを均等にほぼ接触させるように形成してある。
これにより、コネクタ端子１０の挿入軸に対する周方向の方向性に関わらずにスタビライザ１２、１３が側壁２２ａに当接し、コネクタ端子１０の装着姿勢が安定化し、位置決めされる。
環状凸部２３は、コネクタ端子１０の略筒形の軸と同心の環形に形成してあり、コネクタ端子１０の挿入軸に対する周方向の方向性に関わらず、ランス１４を弾性係止できるようにしてある。
【００１０】
ランス１４は、端子本体部１１からの切り起こしで端子本体部１１の周方向の対称位置に一対設けてあり、それぞれ嵌合方向先側から後ろ側にかけて端子本体部１１から離すように傾斜させてある。
端子本体部１１を形成する板材の合わせ目１１ｂ部分には、板材の周方向の両縁部を合わせ目１１ｂ部分で外向きにそれぞれ折り曲げ延出することで、２枚のスタビライザ１２を重ねて形成してある。
端子本体部１１の合わせ目１１ｂから周方向両側のほぼ１２０度の位置には、切り起こしで形成したスタビライザ１３を設けてある。
スタビライザ１３は、端子本体部側壁１１ａに切欠部１３ｂを形成して設けた突片を外向きに起こし曲げして形成してある。
この切り起こしで形成するスタビライザ１３は、２個以上設けてもよい。
スタビライザ１２、１３は、それぞれコネクタ端子１０の端子収納室２１への挿入方向に平行で、端子本体部１１の筒形状の径方向外向きに突出させてある。
板材の合わせ目１１ｂ部分に設けてあるスタビライザ１２は、図２に示すように、端子本体部１１を形成する板材の周方向の一方の縁部のみを折り曲げて形成してもよい。
コネクタ端子１０は、端子本体部１１に設けるスタビライザの少なくとも一部を、切り起こしのスタビライザ１３とせずに、コネクタ端子１０を形成する板材の縁部を外向きに折り曲げて設けることで、強度低下も防止しながら、断面積減少による電気抵抗の増加を防止するので、特に大電流通電用に用いると良い。
なお、本発明に係るコネクタ端子構造の適用は、このような１極のコネクタに用いるコネクタ端子への適用に限定するものではなく、多極のコネクタに用いるコネクタ端子にも適用できる。
【図面の簡単な説明】
【００１１】
【図１】（ａ）は本発明に係るコネクタ端子の平面図を示し、（ｂ）はコネクタ端子の底面図を示し、（ｃ）はＡ−Ａ線断面端面の拡大図を示し、（ｄ）はコネクタ端子をコネクタハウジング内に装着した状態で、コネクタハウジングの手前側を取り除いた説明図を示し、（ｅ）はコネクタハウジング内へ装着したコネクタ端子のスタビライザ付近をコネクタ嵌合方向と直角方向に切断した断面端面の拡大図を示す。
【図２】端子本体部の板材縁部の一方のみを折り曲げてスタビライザを設けた場合のスタビライザ部分の断面端面図を示す。
【図３】従来のコネクタ端子構造の説明図を示す。
【図４】従来のコネクタ端子構造の説明図を示す。
【符号の説明】
【００１２】
１０    プラグ形のコネクタ端子
１１    端子本体部
１１ａ  端子本体部側壁
１１ｂ  板材の合わせ目
１２    板材縁部を延出して形成したスタビライザ
１２ａ  スタビライザ外端
１３    切り起こしで形成したスタビライザ
１３ａ  スタビライザ外端
１３ｂ  切欠部
１４    ランス
１５    接触部
１６    電線接続部
２０    コネクタハウジング
２１    端子収納室
２２    電線収納部
２２ａ  電線収納部側壁
２３    環状凸部
２３ａ  ランス係止部
２４    接続空間部
【図１】
2009037794.tif 000003
【図２】
2009037794.tif 000004
【図３】
2009037794.tif 000005
【図４】
2009037794.tif 000006